(57)【要約】【課題】パネルが焼きつくおそれがない有機ＥＬディスプレイを提供する。【解決手段】有機ＥＬディスプレイは、複数の画素ＥＬ素子と、駆動回路と、駆動回路からそれぞれ供給された駆動電流によって各画素ＥＬ素子に発生する駆動電圧をそれぞれ測定する電圧測定回路とを備えた有機ＥＬディスプレイにおいて、複数の画素ＥＬ素子の内、電圧測定回路によって測定された各画素ＥＬ素子の駆動電圧が、所定のしきい値を超える画素ＥＬ素子を劣化素子とし、駆動電圧が所定のしきい値以下である画素ＥＬ素子を非劣化素子とした場合において、複数の画素ＥＬ素子のそれぞれの輝度が互いにほぼ一定となるように非劣化素子をエージングするためのエージング電流を非劣化素子へ供給するエージング回路をさらに備えている。【選択図】  図１
2004348088.tif 000002
【特許請求の範囲】
【請求項１】
それぞれが画素を構成するようにマトリックス状に配置された複数の画素ＥＬ素子と、
前記複数の画素ＥＬ素子により画像を表示させるための駆動電流を前記複数の画素ＥＬ素子にそれぞれ供給する駆動回路と、
前記駆動回路からそれぞれ供給された前記駆動電流によって各画素ＥＬ素子に発生する駆動電圧をそれぞれ測定する電圧測定回路とを備えた有機ＥＬディスプレイにおいて、
前記複数の画素ＥＬ素子の内、前記電圧測定回路によって測定された各画素ＥＬ素子の駆動電圧が、所定のしきい値を超える前記画素ＥＬ素子を劣化素子とし、前記駆動電圧が前記所定のしきい値以下である前記画素ＥＬ素子を非劣化素子とした場合において、
前記複数の画素ＥＬ素子のそれぞれの輝度が互いにほぼ一定となるように前記非劣化素子をエージングするためのエージング電流を前記非劣化素子へ供給するエージング回路をさらに備えたことを特徴とする有機ＥＬディスプレイ。
【請求項２】
前記電圧測定回路は、低温ポリシリコンＴＦＴにより構成されている請求項１に記載の有機ＥＬディスプレイ。
【請求項３】
前記有機ＥＬディスプレイは、充電可能な内部電源を有する電子機器に搭載された場合において、前記内部電源の充電時又は充電完了直後に、前記エージング回路から前記エージング電流を前記非劣化素子へ供給し、前記非劣化素子をエージングする請求項１または２に記載の有機ＥＬディスプレイ。
【請求項４】
請求項１に記載の有機ＥＬディスプレイを搭載し、前記複数の画素ＥＬ素子が配置された画像表示部と、キー入力部を有する本体部とを備え、前記画像表示部は、前記本体部に折りたたんで収納することが可能なように前記本体部に対して回動自在に構成された折りたたみ式携帯電話であって、
前記収納時に、前記エージング回路から前記エージング電流を前記非劣化素子へ供給し、前記非劣化素子をエージングすることを特徴とする折りたたみ式携帯電話。
【発明の詳細な説明】
【０００１】
【発明の属する技術分野】
本発明は、それぞれが画素を構成するようにマトリックス状に配置された複数の画素ＥＬ素子を備えた有機ＥＬディスプレイに関する。
【０００２】
【従来の技術】
液晶ディスプレイに代わり、高品質な表示が可能なディスプレイとして、有機ＥＬ（エレクトロルミネッセンス）素子を用いた有機ＥＬディスプレイが注目されている。
【０００３】
有機ＥＬ素子は、自己発光型の表示素子であり、視野角が広く、コントラストや視認性に優れている。また、バックライトが不要のため、フラット化と軽量化とが可能であり、低消費電力化を実現することができるなどの利点を有している。
【０００４】
以下、従来の有機ＥＬディスプレイを説明する。従来の有機ＥＬディスプレイは、それぞれが画素を構成するようにマトリックス状に配置された複数の画素ＥＬ素子と、画素ＥＬ素子を水平方向に沿って駆動するための走査線駆動回路と、画素ＥＬ素子を垂直方向に沿って駆動するための信号線駆動回路と、画像信号に応じて走査線駆動回路と信号線駆動回路と駆動するための駆動回路とを備えている。
【０００５】
このように構成された有機ＥＬディスプレイにおいては、画像信号が駆動回路に入力されると、駆動回路は入力された画像信号に応じて走査線駆動回路と信号線駆動回路とを駆動する。そして、走査線駆動回路と信号線駆動回路とは、駆動回路に入力された画像信号によって表される画像が表示されるように複数の画素ＥＬ素子を駆動する。
【０００６】
【特許文献１】
特開平８−２９７３０４号公報
【０００７】
【発明が解決しようとする課題】
しかしながら、前述した従来の有機ＥＬディスプレイの構成では、画素ＥＬ素子の寿命が短いために、固定パターンの画像を長時間にわたって表示し続けるとパネルが焼きつくおそれがあるという問題がある。
【０００８】
本発明の目的は、パネルが焼きつくおそれがない有機ＥＬディスプレイを提供することにある。
【０００９】
【課題を解決するための手段】
本発明に係る有機ＥＬディスプレイは、それぞれが画素を構成するようにマトリックス状に配置された複数の画素ＥＬ素子と、前記複数の画素ＥＬ素子により画像を表示させるための駆動電流を前記複数の画素ＥＬ素子にそれぞれ供給する駆動回路と、前記駆動回路からそれぞれ供給された前記駆動電流によって各画素ＥＬ素子に発生する駆動電圧をそれぞれ測定する電圧測定回路とを備えた有機ＥＬディスプレイにおいて、前記複数の画素ＥＬ素子の内、前記電圧測定回路によって測定された各画素ＥＬ素子の駆動電圧が、所定のしきい値を超える前記画素ＥＬ素子を劣化素子とし、前記駆動電圧が前記所定のしきい値以下である前記画素ＥＬ素子を非劣化素子とした場合において、前記複数の画素ＥＬ素子のそれぞれの輝度が互いにほぼ一定となるように前記非劣化素子をエージングするためのエージング電流を前記非劣化素子へ供給するエージング回路をさらに備えたことを特徴とする。
【００１０】
本発明に係る折りたたみ式携帯電話は、本発明に係る有機ＥＬディスプレイを搭載し、前記複数の画素ＥＬ素子が配置された画像表示部と、キー入力部を有する本体部とを備え、前記画像表示部は、前記本体部に折りたたんで収納することが可能なように前記本体部に対して回動自在に構成された折りたたみ式携帯電話であって、前記収納時に、前記エージング回路から前記エージング電流を前記非劣化素子へ供給し、前記非劣化素子をエージングすることを特徴とする。
【００１１】
【発明の実施の形態】
本実施の形態に係る有機ＥＬディスプレイにおいては、複数の画素ＥＬ素子のそれぞれの輝度が互いにほぼ一定となるように非劣化素子をエージングするためのエージング電流を非劣化素子へ供給するエージング回路が設けられている。このため、複数の画素ＥＬ素子のそれぞれの輝度が互いにほぼ一定となるように非劣化素子がエージングされる。従って、複数の画素ＥＬ素子のそれぞれの輝度を互いにほぼ一定にすることができる。その結果、有機ＥＬディスプレイのパネルの焼きつきを防止することができる。
【００１２】
この実施の形態では、前記電圧測定回路は、低温ポリシリコンＴＦＴにより構成されていることが好ましい。
【００１３】
前記有機ＥＬディスプレイは、充電可能な内部電源を有する電子機器に搭載された場合において、前記内部電源の充電時又は充電完了直後に、前記エージング回路から前記エージング電流を前記非劣化素子へ供給し、前記非劣化素子をエージングすることが好ましい。
【００１４】
本実施の形態に係る折りたたみ式携帯電話においては、画像表示部を本体部に折りたたんで収納した状態において、エージング回路からエージング電流を非劣化素子へ供給し、非劣化素子をエージングする。このため、複数の画素ＥＬ素子のそれぞれの輝度が互いにほぼ一定となるように非劣化素子がエージングされる。従って、複数の画素ＥＬ素子のそれぞれの輝度を互いにほぼ一定にすることができる。その結果、有機ＥＬディスプレイのパネルの焼きつきを防止することができる。
【００１５】
以下、図面を参照しながら本発明の実施の形態を説明する。
【００１６】
図１は、実施の形態に係る有機ＥＬディスプレイの構成を示すブロック図である。有機ＥＬディスプレイ１００は、それぞれが画素を構成するようにマトリックス状に配置された複数の画素ＥＬ素子４を備えている。
【００１７】
有機ＥＬディスプレイ１００には、画素ＥＬ素子４を水平方向に沿って駆動するための走査線駆動回路２２と、画素ＥＬ素子４を垂直方向に沿って駆動するための信号線駆動回路２１と、画像信号に応じて複数の画素ＥＬ素子により画像を表示させるための駆動電流を複数の画素ＥＬ素子４にそれぞれ供給するように走査線駆動回路２２と信号線駆動回路２１とそれぞれ駆動するために設けられた駆動回路３とが設けられている。
【００１８】
有機ＥＬディスプレイ１００は、電圧測定回路２を備えている。電圧測定回路２は、低温ポリシリコンＴＦＴによって構成されており、各画素ＥＬ素子４へそれぞれ供給された駆動電流によって各画素ＥＬ素子４に発生する駆動電圧をそれぞれ測定する。
【００１９】
有機ＥＬディスプレイ１００には、エージング回路１が設けられている。エージング回路１は、複数の画素ＥＬ素子４の内、電圧測定回路２によって測定された各画素ＥＬ素子４の駆動電圧が、所定のしきい値を超える画素ＥＬ素子４を劣化素子とし、駆動電圧が所定のしきい値以下である画素ＥＬ素子４を非劣化素子とした場合において、複数の画素ＥＬ素子４のそれぞれの輝度が互いにほぼ一定となるように非劣化素子をエージングするためのエージング電流を非劣化素子へ供給する。
【００２０】
図２は、実施の形態に係る有機ＥＬディスプレイ１００に設けられた画素ＥＬ素子４の輝度と電圧との時間的な変化を示すグラフである。画素ＥＬ素子４に駆動電流が供給されると、駆動電流が供給された画素ＥＬ素子４において発生する電圧は時間の経過と共に直線状に増大し、駆動電流が供給された画素ＥＬ素子４の輝度は時間の経過と共に直線状に劣化する。
【００２１】
このように構成された実施の形態に係る有機ＥＬディスプレイ１００の動作を説明する。
【００２２】
画像信号が駆動回路３に入力されると、駆動回路３は、入力された画像信号に応じた画像を表示させるための駆動電流が各画素ＥＬ素子４にそれぞれ供給されるように走査線駆動回路２２および信号線駆動回路２１を駆動する。そして、各画素ＥＬ素子４に駆動電流がそれぞれ供給される。
【００２３】
次に、電圧測定回路２は、各画素ＥＬ素子４へそれぞれ供給された駆動電流によって各画素ＥＬ素子４に発生する駆動電圧をそれぞれ測定する。その後、エージング回路１は、複数の画素ＥＬ素子４の内、電圧測定回路２によって測定された各画素ＥＬ素子４の駆動電圧が、所定のしきい値を超える画素ＥＬ素子４を劣化素子とし、駆動電圧が所定のしきい値以下である画素ＥＬ素子４を非劣化素子とした場合において、複数の画素ＥＬ素子４のそれぞれの輝度が互いにほぼ一定となるように非劣化素子をエージングするためのエージング電流を非劣化素子へ供給する。
【００２４】
図３は、実施の形態に係る有機ＥＬディスプレイ１００に設けられた画素ＥＬ素子４の電圧と電流との関係を示すグラフである。縦軸は画素ＥＬ素子４に供給される電流を示しており、横軸は画素ＥＬ素子４において発生する電圧を示している。線１１は非劣化素子における電圧と電流との関係を示しており、線１２は劣化素子における電圧と電流との関係を示している。
【００２５】
エージング回路１が線１１によって示される特性を有する非劣化素子をエージングすると、線１１によって示される特性を有する非劣化素子は、エージングされた結果、線１２によって示される特性を有する劣化素子に変化する。このため、すべての画素ＥＬ素子４が線１１によって示される特性を有する非劣化素子になる。従って、複数の画素ＥＬ素子４のそれぞれの輝度が互いにほぼ一定となる。その結果、パネルの焼きつきを解消することができる。
【００２６】
有機ＥＬディスプレイ１００は、充電可能な内部電源を有する電子機器に搭載された場合において、内部電源の充電時又は充電完了直後に、エージング回路１からエージング電流を非劣化素子へ供給し、非劣化素子をエージングすることが好ましい。
【００２７】
以上のように本実施の形態によれば、複数の画素ＥＬ素子４のそれぞれの輝度が互いにほぼ一定となるように非劣化素子をエージングするためのエージング電流を非劣化素子へ供給するエージング回路１が設けられている。このため、複数の画素ＥＬ素子４のそれぞれの輝度が互いにほぼ一定となるように非劣化素子がエージングされる。従って、複数の画素ＥＬ素子４のそれぞれの輝度を互いにほぼ一定にすることができる。その結果、有機ＥＬディスプレイのパネルの焼きつきを防止することができる。
【００２８】
図４は、実施の形態に係る折りたたみ式携帯電話１５０の外観を示すグラフである。折りたたみ式携帯電話１５０は、有機ＥＬディスプレイ１００を搭載し、複数の画素ＥＬ素子が配置された画像表示部６と、キー入力部８を有する本体部７とを備えている。
【００２９】
画像表示部６は、本体部７に折りたたんで収納することが可能なように本体部６に対して回動自在に構成されている。画像表示部６を本体部７に折りたたんで収納した時に、エージング回路からエージング電流を非劣化素子へ供給し、非劣化素子をエージングする。
【００３０】
【発明の効果】
以上のように本発明によれば、パネルが焼きつくおそれがない有機ＥＬディスプレイを提供することができる。
【図面の簡単な説明】
【図１】実施の形態に係る有機ＥＬディスプレイの構成を示すブロック図
【図２】実施の形態に係る有機ＥＬディスプレイに設けられた画素ＥＬ素子の輝度と電圧との時間的な変化を示すグラフ
【図３】実施の形態に係る有機ＥＬディスプレイに設けられた画素ＥＬ素子の電圧と電流との関係を示すグラフ
【図４】実施の形態に係る折りたたみ式携帯電話の外観を示すグラフ
【符号の説明】
１  エージング回路
２  電圧測定回路
３  駆動回路
４  画素ＥＬ素子
６  画像表示部
７  本体
８  キー入力部
１００  有機ＥＬディスプレイ
１５０  携帯電話
【図１】
2004348088.tif 000003
【図２】
2004348088.tif 000004
【図３】
2004348088.tif 000005
【図４】
2004348088.tif 000006